(57)【特許請求の範囲】
【請求項１】
被検査物を検査して統計データを生成する物品検査装置（１）であって、
所定のトリガ条件の成立時に前記統計データの合算に関する動作を実行する制御部（７４）と、
前記トリガ条件と、該トリガ条件の成立時の前記統計データの合算に関する動作が定められた動作決定テーブルを記憶する記憶部（７３）と、
前記動作決定テーブルの設定操作を行う設定部（１１）と、を備え、
前記動作決定テーブルには、新たに生成する前記統計データを既に生成された前記統計データに対して合算するか否かが、複数の前記トリガ条件ごとに定められており、
前記動作決定テーブルが定める動作には、前記統計データを合算するか否かをオペレータに確認させるためのダイアログ画面を前記トリガ条件の成立時に表示することが含まれることを特徴とする物品検査装置。
【請求項２】
前記動作決定テーブルには、前記統計データを合算する場合と、前記統計データを合算しない場合と、前記統計データを合算するか否かをオペレータに決定させる決定ダイアログ画面を表示する場合と、が複数の前記トリガ条件ごとに定められていることを特徴とする請求項１に記載の物品検査装置。
【請求項３】
前記トリガ条件が、前記被検査物の品種切り替え操作を含むことを特徴とする請求項１または請求項２に記載の物品検査装置。
【請求項４】
前記トリガ条件が、前記被検査物のロット切り替え操作を含むことを特徴とする請求項１から請求項３の何れか１項に記載の物品検査装置。
【請求項５】
前記動作決定テーブルが定める動作には、前記統計データを合算しない場合に、既に生成された統計データを所定期間保存することが含まれることを特徴とする請求項１から請求項４の何れか１項に記載の物品検査装置。
【発明の詳細な説明】
【技術分野】
【０００１】
本発明は、例えば、肉、魚、加工食品、医薬品などの被検査物を検査する物品検査装置に関する。
【背景技術】
【０００２】
食品工場等では、製品の重量を検査する物品検査装置が用いられており、物品検査装置は、製品が搬送される間に重量に過不足がないか否かを検査している。従来のこの種の物品検査装置として特許文献１に記載されたものが知られている。
【０００３】
特許文献１に記載の物品検査装置は、被検査物の品種、検査期間、日付、ロット等を単位とした統計処理を実行するようになっている。また、特許文献１に記載の物品検査装置は、品種の切り替え時に、統計処理と統計データの印字処理を自動実行し、印字処理の実行後に統計データを削除するようになっている。さらに、特許文献１に記載の物品検査装置は、統計処理の自動実行、印字後の統計データの自動削除、削除時の確認メッセージの表示について、処理を実行するか否かを予め設定できるようになっている。
【先行技術文献】
【特許文献】
【０００４】
【特許文献１】特開２００２−２５０７０３号公報
【発明の概要】
【発明が解決しようとする課題】
【０００５】
しかしながら、特許文献１に記載の物品検査装置は、品種の切り替え時のみをトリガ条件として統計処理を自動実行しており、品種の切り替え時以外で誤ってオペレータが統計処理を実行してしまうおそれがあった。オペレータが誤って統計処理を実行した場合、統計処理後の検査に係る統計データは、統計処理前の統計データとは分離されたデータになってしまう。
【０００６】
また、日をまたいで同一の品種を検査する場合に、翌日の検査開始時に前日の統計データを誤って継続してしまうことがあり、この場合、ロット分けされない統計データが生成されてしまう。一方、異なるロットを同日に検査する場合に、ロットの切り替え操作時に統計データを誤って削除してしまうおそれがあった。
【０００７】
そこで、本発明は、前述のような従来の問題を解決するためになされたもので、統計データの合算に関する運用上の誤操作を防止することができる物品検査装置を提供することを目的とする。
【課題を解決するための手段】
【０００８】
本発明に係る物品検査装置は、被検査物を検査して統計データを生成する物品検査装置（１）であって、所定のトリガ条件の成立時に前記統計データの合算に関する動作を実行する制御部（７４）と、前記トリガ条件と、該トリガ条件の成立時の前記統計データの合算に関する動作が定められた動作決定テーブルを記憶する記憶部（７３）と、前記動作決定テーブルの設定操作を行う設定部（１１）と、を備え、前記動作決定テーブルには、新たに生成する前記統計データを既に生成された前記統計データに対して合算するか否かが、複数の前記トリガ条件ごとに定められており、前記動作決定テーブルが定める動作には、前記統計データを合算するか否かをオペレータに確認させるためのダイアログ画面を前記トリガ条件の成立時に表示することが含まれることを特徴とする。
【０００９】
この構成により、品種の切り替え操作やロットの切り替え操作等により複数のトリガ条件の何れかが成立した場合、統計データの合算に関して動作決定テーブルで予め定められている動作が実行される。また、承認ダイアログ画面に対する操作により、オペレータは、統計データの合算に関して意思を反映できる。この結果、統計データの合算に関する運用上の誤操作を防止することができる。また、設定部からの設定操作により動作決定テーブルを設定することができる。
【００１２】
また、本発明に係る物品検査装置において、前記動作決定テーブルには、前記統計データを合算する場合と、前記統計データを合算しない場合と、前記統計データを合算するか否かをオペレータに決定させる決定ダイアログ画面を表示する場合と、が複数の前記トリガ条件ごとに定められていることを特徴とする。
【００１３】
この構成により、統計データを合算するか否かが決定されている場合と、統計データを合算するか否かを決定ダイアログ画面でオペレータに決定させる場合の両方が設けられていることで、統計データの合算に関する運用上の誤操作を防止しつつ、統計データの合算に関する動作を柔軟に運用できる。
【００１４】
また、本発明に係る物品検査装置は、前記トリガ条件が、前記被検査物の品種切り替え操作を含むことを特徴とする。
【００１５】
この構成により、品種切り替え操作が行われた場合に動作決定テーブルに従って統計データの合算に関する動作が行われるため、品種切り替え時の統計データに関する誤操作を防止することができる。
【００１６】
また、本発明に係る物品検査装置は、前記トリガ条件が、前記被検査物のロット切り替え操作を含むことを特徴とする。
【００１７】
この構成により、ロット切り替え操作が行われた場合に動作決定テーブルに従って統計データの合算に関する動作が行われるため、ロット切り替え時の統計データに関する誤操作を防止することができる。
【００１８】
また、本発明に係る物品検査装置は、前記動作決定テーブルが定める動作には、前記統計データを合算しない場合に、既に生成された統計データを所定期間保存することが含まれることを特徴とする。
【００１９】
この構成により、統計データを合算しない場合は、既に生成された統計データが所定期間保存されるため、統計データの合算に関するオペレータの確認が仮に不適正で合った場合であっても、統計データが直ちに消去されてしまうことを防止できる。
【発明の効果】
【００２０】
本発明は、統計データの合算に関する運用上の誤操作を防止することができる物品検査装置を提供することができる。
【図面の簡単な説明】
【００２１】
【図１】本発明の一実施の形態に係る物品検査装置の概要を示す斜視図である。
【図２】本発明の一実施の形態に係る物品検査装置の内部構成を示す図である。
【図３】本発明の一実施の形態に係る物品検査装置の記憶部に記憶される動作決定テーブルを示す図である。
【図４】本発明の一実施の形態に係る物品検査装置の制御部で実行される統計データ関連動作を説明するフローチャートである。
【図５】本発明の一実施の形態に係る物品検査装置において、運転中に表示される統計データを示す図である。
【図６】本発明の一実施の形態に係る物品検査装置において、運転中に品種切り替えボタンが押された場合のダイアログ表示を示す図である。
【発明を実施するための形態】
【００２２】
以下、本発明に係る物品検査装置の実施の形態について図面を参照して説明する。図１〜図６は、本発明に係る物品検査装置の一実施の形態を示している。
【００２３】
まず、物品検査装置１の概要を説明する。図１において、物品検査装置１は、装置本体部２と、搬送部３と、搬入センサ４とを備えて構成されている。また、物品検査装置１の後段には選別部５が接続されている。
【００２４】
物品検査装置１は、生産ラインの一部を構成するベルトコンベア１４の下流側に設置されており、所定の間隔で矢印Ａ方向に順次搬入されてくる肉、魚、加工食品、医薬品などの被検査物Ｗの重量を測定し、得られた測定値（以下、計量値という）を基に検査を行い、検査結果を出力している。
【００２５】
物品検査装置１は、計量値が基準値の範囲内にあるか否か等により、被検査物Ｗを良品と不良品の何れかに判定している。さらに、物品検査装置１は、得られた計量値に基づいて、被検査物Ｗに対して複数の基準値で重量ランク判定している。
【００２６】
また、測定結果、良否判定結果や重量ランク判定結果は、表示部１０に表示されるとともに、物品検査装置１の後段に接続された選別部５に出力されるようになっている。選別部５では、物品検査装置１が出力した検査結果の測定結果、良否判定結果や重量ランク判定結果に応じて被検査物Ｗを振り分けるようになっている。
【００２７】
次に、物品検査装置１の詳細な構成を説明する。図１、図２に示すように、装置本体部２は、秤量部２１と、総合制御部７と、表示部１０と、設定部１１と、これらの各部を収納する収納筐体２ａとにより構成されている。
【００２８】
搬送部３は、ベルトコンベア１４から矢印Ａ方向に搬入されてくる被検査物Ｗを所定の搬送条件により搬送している。被検査物Ｗは、助走コンベア３１により測定するのに最適な速度になるよう加速または減速されて搬送され、秤量コンベア３２によりさらに搬送され、搬送されている間に重量が秤量部２１により計量されるようになっている。
【００２９】
秤量コンベア３２は、被検査物を所定の搬送条件により搬送している。また、被検査物Ｗは、計量の後にさらに後段の選別部５に搬送され、振り分けられるようになっている。
【００３０】
搬送部３は、助走コンベア３１および秤量コンベア３２により構成されている。助走コンベア３１は、前段のベルトコンベア１４から搬送されてきた被検査物Ｗが秤量コンベア３２に移動する前に、被検査物Ｗの助走を行うものであり、２つのローラ３１ａ、３１ｃと、これらのローラに巻き付けられている無端状の搬送ベルト３１ｂとにより構成されている。
【００３１】
秤量コンベア３２は、被検査物Ｗの計量を行う秤量部２１の上部に支持されており、２つのローラ３２ａ、３２ｃとこれらのローラに巻き付けられている無端状の搬送ベルト３２ｂと、ローラ３２ｃを駆動する図示しないモータとにより構成されている。ローラ３２ｃは、モータの駆動により回転駆動されるようになっている。
【００３２】
搬入センサ４は、助走コンベア３１と秤量コンベア３２との間に配置されており、一対の投光部４ａおよび受光部４ｂからなる透過形光電センサで構成されている。投光部４ａは搬送ベルト３２ｂの装置本体部２側に配置されている。受光部４ｂは搬送ベルト３２ｂの他の側面側に、投光部４ａに対向するように配置されている。
【００３３】
搬入センサ４は、被検査物Ｗが投光部４ａおよび受光部４ｂの間を通過して被検査物Ｗにより受光部４ｂが遮光されることで、被検査物Ｗの搬入が開始されたことを検出するようになっている。搬入センサ４で検出された搬入開始の信号は、装置本体部２内の総合制御部７に出力されるようになっている。
【００３４】
秤量部２１は、秤量コンベア３２を支持し、被検査物Ｗの質量による荷重に基づいて秤量信号を出力する荷重センサであり、電磁平衡機構などのはかり機構で構成され、被検査物Ｗが秤量コンベア３２で搬送されている間に、秤量部２１に加わる荷重を測定するようになっている。秤量部２１は、重量を測定できるはかり機構であればよく、例えば、差動トランス機構や歪みゲージ機構などのはかり機構で構成してもよい。
【００３５】
総合制御部７は、信号処理部７１、計量部７２、記憶部７３、制御部７４、良否判定部７６を備えている。
【００３６】
信号処理部７１は、秤量部２１からの秤量信号を受け所定の信号処理条件に基づいて信号処理して信号処理済信号を出力するようになっていて、アナログ信号をディジタル信号に変換するＡ／Ｄ変換器を備えている。具体的には、信号処理部７１は、秤量部２１からの秤量信号に対して、種類や特性の異なる複数のローパスフィルタから選択したフィルタを用いて、秤量信号の低周波成分のみを信号処理済信号として通過させるようになっている。なお、信号処理部７１が選択するローパスフィルタは、１つの場合、または、複数を組み合わせたものの場合がある。
【００３７】
計量部７２は、信号処理部７１が出力する信号処理済信号に基づいて被検査物Ｗの計量値を算出（グラム換算）するようになっている。また、計量部７２においては、搬入センサ４によって被検査物Ｗが秤量コンベア３２に搬入されたことが検知されてから被検査物Ｗが秤量コンベア３２に完全に乗り移り、さらに秤量部２１から出力された秤量信号が安定するまでに必要な基準時間Ｔｋが経過した後、被検査物Ｗが秤量コンベア３２から排出されるまでの間に計量を行い、秤量部２１から秤量信号が出力された被検査物Ｗに対して、計量値を算出するようになっている。計量部７２により算出された個々の重量は、記憶部７３に算出データとして記憶されるようになっている。
【００３８】
なお、計量部７２においては、被検査物Ｗの品種（特に、サイズ）に応じて、その測定範囲、測定能力および検査精度などの検査条件を基に計量に関する計量パラメータが選択されるようになっており、被検査物Ｗの品種に応じて、例えば、測定範囲が６ｇ〜６００ｇ、測定能力が最大１５０個／ｍｉｎで選択されるようになっている。
【００３９】
この場合、被検査物Ｗの１個当たりの基準時間Ｔｋは、最小４００ｍｓｅｃに設定されることになり、基準時間Ｔｋは４００ｍｓｅｃ以上であればよいが、被検査物Ｗのサイズ、ラインの処理能力、生産その他の条件により設定されるようになっている。
【００４０】
記憶部７３は、記憶媒体などから構成されており、秤量コンベア３２による被検査物Ｗの所定の搬送条件、および計量部７２で使用する計量パラメータを含む条件パラメータを被検査物Ｗの品種に対応させて記憶するようになっている。
【００４１】
記憶部７３には、被検査物Ｗの品種毎に付された各品種番号に対応して、条件パラメータの搬送速度、ＬＰＦ（Ｌｏｗ  Ｐａｓｓ  Ｆｉｌｔｅｒ）特性が記憶されている。また、記憶部７３には、検査パラメータとして、被検査物Ｗの良否を判定するための良品範囲としての上限および下限の基準値が記憶されている。
【００４２】
ここで、搬送速度は、被検査物Ｗを搬送する搬送部３の速度であり、ＬＰＦ特性は、どのような特性のローパスフィルタであるかを示すものであり、良品範囲とは、良品と判定される被検査物Ｗの計量値の範囲である。
【００４３】
これらの記憶情報は、設定部１１からの設定操作または外部機器との接続により予め記憶されるようになっている。記憶部７３は、計量値、良否判定結果、統計データ、設定部１１からの設定情報等の種々のデータを制御部７４を介して記憶するようになっている。
【００４４】
制御部７４は、被検査物Ｗの品種に応じて記憶部７３から所定の搬送条件および所定の信号処理条件を読み出して秤量コンベア３２をそれぞれ制御するようになっている。
【００４５】
また、制御部７４は、記憶部７３に記憶している複数の品種に対応する条件パラメータや検査パラメータを順次切り換えて搬送部３と良否判定部７６を制御するようになっている。また、制御部７４は、図示しないモータの回転速度（ｒｐｍ）を駆動制御して、搬送部３による被検査物Ｗの搬送速度を制御するようになっている。
【００４６】
良否判定部７６は、判定回路などから構成されており、計量部７２が算出した計量値と良否判定基準値との比較に基づく良否判定結果を判定して出力するようになっている。
【００４７】
具体的には、良否判定部７６は、計量部７２から出力された被検査物Ｗの計量値を受けると、記憶部７３に予め記憶されている上限値および下限値を読み出し、算出した被検査物Ｗの計量値と上限値および下限値とをそれぞれ比較し、上限値および下限値で決定される許容範囲内に被検査物Ｗの計量値が入っているか否かを判定するようになっている。
【００４８】
良否判定部７６において判定された判定結果は、表示部１０に出力され、良品または不良品として表示されるようになっている。また、判定結果は、物品検査装置１の後段に接続された選別部５に出力され、被検査物Ｗが良品または不良品として選別されるようになっている。さらに、この判定結果は、記憶部７３に出力され、各被検査物Ｗについての判定結果が記憶されるようになっている。
【００４９】
表示部１０は、図１に示すように、装置本体部２の搬送部３側の上端部に設けられ、タッチパネルで構成される。表示部１０は、物品検査装置１の動作状態、被検査物Ｗの計量値、良否判定結果、検査パラメータ、統計データを表示するようになっている。また、表示部１０は、検査パラメータの設定に関する表示をするようになっている。なお、設定部１１を表示部１０に一体化して構成し、設定操作を全て表示部１０からタッチ操作で入力されるようにしてもよい。表示部１０の表示例等については後述する。
【００５０】
選別部５は、物品検査装置１の後段に接続されており、選別機構部５ａおよび搬送ベルト５ｂにより構成されている。選別機構部５ａは、フリッパ方式（アーム方式）の機構により構成されている。
【００５１】
選別機構部５ａは、上流の秤量コンベア３２から搬送される被検査物Ｗが搬送ベルト５ｂで矢印Ｂ方向に搬送されている間に、不良品と判定された被検査物Ｗを搬送ベルト５ｂ上から側方に排出し、良品の被検査物Ｗと区別することにより選別を行っている。選別機構部５ａは、良品と不良品とを選別できるものであればよく、押し出し方式、ドロップアウト方式、エアジェット方式などの選別機構で構成してもよい。
【００５２】
また、搬送ベルト５ｂは、ローラ５ｃおよびローラ５ｃに対向して配置されるローラ（不図示）と、これらのローラに巻き付けられている無端状の搬送ベルトとして構成されており、測定を終了した被検査物Ｗを所定の速度で下流側に搬送するようになっている。
【００５３】
図３に示すように、記憶部７３には動作決定テーブルが記憶されている。この動作決定テーブルでは、所定のトリガ条件の成立時の統計データの合算に関する動作が定められている。具体的には、動作決定テーブルには、新たに生成する統計データを既に生成された統計データに対して合算するか否かが、複数のトリガ条件ごとに定められている。また、動作決定テーブルが定める動作には、統計データを合算するか否かをオペレータに確認させるためのダイアログ画面を表示するか否かの情報が含まれている。
【００５４】
動作決定テーブルには、統計データを合算する場合と、統計データを合算しない場合と、後述する決定ダイアログ画面を表示する場合と、が複数のトリガ条件ごとに定められている。決定ダイアログ画面は、統計データを合算するか否かをオペレータに確認させるためのダイアログ画面である。
【００５５】
また、動作決定テーブルが定める動作には、統計データを合算しない場合に、既に生成された統計データを所定期間保存することが含まれている。すなわち、この動作決定テーブルの一部のトリガ条件では、統計データを合算せず、かつ、既に生成された統計データを所定期間保存することが定められている。動作決定テーブルの内容は、設定部１１からの設定操作により設定および変更できるようになっている。
【００５６】
図３の動作決定テーブルでは、フラグ番号１からフラグ番号８９で識別された複数のトリガ条件と、そのトリガ条件の成立時の統計データの合算に関する動作が定められている。
【００５７】
フラグ番号０は、装置の起動操作が行われ、運転開始（検査開始）したことをトリガ条件としている。このトリガ条件の成立時は、決定ダイアログが表示部１０に表示される。決定ダイアログ画面では、統計データの合算を行うか否かがオペレータにより決定される。
【００５８】
また、フラグ番号１は装置の一時停止操作が行われて運転の再開をトリガ条件としている。このトリガ条件の成立時は、統計データの合算が行われる。なお、運転を再開させる際に統計が継続されることをオペレータに確認させるための承認ダイアログ画面を表示させるようにしてもよい。このようにすると、承認ダイアログ画面でオペレータが統計継続承認した場合に運転を再開して統計データの合算が実行され、オペレータが承認しなかった場合には運転が再開できないようにしたり統計データの合算が実行されないようにすることができ、動作決定テーブルの内容の設定ミスによる統計データの合算に関する誤操作を防止することができる。
【００５９】
フラグ番号２は、品種切り替え操作が行われて運転開始したことをトリガ条件としている。このトリガ条件の成立時は、フラグ番号０と同様に決定ダイアログが表示部１０に表示され、統計データを合算するか否かをオペレータに決定させる。
【００６０】
フラグ番号３は、ロット切り替え操作が行われたことをトリガ条件としている。このトリガ条件の成立時は、新たな検査結果に対する統計の継続、すなわち統計データの合算が行われない。また、既に生成された統計データは直ちに消去せずに所定期間保持される。
【００６１】
フラグ番号８８は、印字操作が行われたことをトリガ条件としている。このトリガ条件の成立時は、統計データの合算は行われない。また、既に生成された統計データは直ちに消去される。
【００６２】
フラグ番号８９は、統計消去操作が行われたことをトリガ条件としている。このトリガ条件の成立時は、フラグ番号８８と同様に統計データの合算は行われず、既に生成された統計データは直ちに消去される。制御部７４は、動作決定テーブルに従って統計データの合算に関する動作を実行する。
【００６３】
図４は、統計データの合算に関する動作である統計データ関連動作を示すフローチャートである。この統計データ関連動作は、システム起動中は所定の短い周期で繰り返し実行される。
【００６４】
図４において、制御部７４は、まず、トリガ条件が成立したか否かを判別する（ステップＳ１）。ここでは、制御部７４は、全てのトリガ条件について成立したか否かを判別し、成立したトリガ条件があった場合はステップＳ２に進み、成立したトリガ条件がなかった場合は今回の動作を終了する。
【００６５】
ステップＳ２では、制御部７４は、動作決定テーブルを参照し、統計データの合算に関する動作を決定する。
【００６６】
次いで、制御部７４は、ステップＳ３に進み、統計データを合算することが動作決定テーブルに定められているか否かを判別する。このステップＳ３の判別がＮＯの場合、制御部７４は、ステップＳ７に進み、統計データを合算しないことが動作決定テーブルに定められているか否かを判別する。このステップＳ７の判別がＮＯの場合、制御部７４は、ステップＳ１１に進む。
【００６７】
ステップＳ３の判別がＹＥＳ（統計データを合算する）の場合、制御部７４は、承認ダイアログ画面を表示部１０に表示し（ステップＳ４）、オペレータの承認の有無を判別する（ステップＳ５）。制御部７４は、ステップＳ５で承認ありの場合は統計データを合算し（ステップＳ６）、今回の動作を終了する。一方、ステップＳ５で承認なしの場合、制御部７４は、統計データを合算せず（ステップＳ１０）、今回の動作を終了する。
【００６８】
ステップＳ７の判別がＹＥＳ（統計データを合算しない）の場合、制御部７４は、承認ダイアログ画面を表示部１０に表示し（ステップＳ８）、オペレータの承認の有無を判別する（ステップＳ９）。制御部７４は、ステップＳ９で承認ありの場合は統計データを合算せず（ステップＳ１０）、今回の動作を終了する。一方、ステップＳ９で承認なしの場合、制御部７４は、統計データを合算し（ステップＳ１３）、今回の動作を終了する。
【００６９】
ステップＳ１１では、制御部７４は、決定ダイアログ画面を表示部１０に表示させる。この決定ダイアログ画面では、統計データを合算するか否かがオペレータにより決定される。
【００７０】
次いで、制御部７４は、オペレータにより統計データの合算が決定されたか否かを判別する（ステップＳ１２）。制御部７４は、ステップＳ１２で統計データの合算が決定された場合は統計データを合算し（ステップＳ１３）、今回の動作を終了する。一方、ステップＳ１２で統計データを合算しないことが決定された場合は統計データを合算せず（ステップＳ１４）、今回の動作を終了する。
【００７１】
以上説明したフローは、統計が継続されることをオペレータに確認させるための承認ダイアログ画面を表示させる例について説明したが、承認ダイアログ画面を表示させないようにしてもよい。承認ダイアログ画面を表示させない例では、ステップＳ３の判別がＹＥＳの場合は、ステップＳ６に進んで統計データを合算し、ステップＳ７の判別がＹＥＳ（統計データを合算しない）の場合はステップＳ１０に進んで統計データを合算せず、動作を終了する。すなわち、承認ダイアログ画面を表示させない例では、ステップＳ４、Ｓ５、およびステップＳ８、Ｓ９を省略する。
【００７２】
図５において、表示部１０は、状態表示領域１１０と、操作領域１２０と、データ表示領域１３０とを備えている。
【００７３】
状態表示領域１１０は、表示部１０の上端部に配置された左右に延びる帯状の領域である。状態表示領域１１０には、装置の状態が主として表示される。
【００７４】
操作領域１２０は、表示部１０の下端部に配置された左右に延びる帯状態の領域である。操作領域１２０には、操作可能な操作ボタンが主として表示される。
【００７５】
データ表示領域１３０は、表示部１０の中央部に配置された領域であって、状態表示領域１１０と操作領域１２０に挟まれた領域である。データ表示領域１３０には、統計データが表示される。これらの状態表示領域１１０、操作領域１２０、データ表示領域１３０における表示情報の生成とタッチ操作への応答は、制御部７４が行う。
【００７６】
物品検査装置１が運転中のときは、図５に示すように、状態表示領域１１０に運転中アイコン１１１が表示されており、装置が運転中であることをオペレータに示している。また、データ表示領域１３０には、検査中の現在の被検査物Ｗの品種（００１）の統計データ１３１が表示されている。統計データ１３１は、数値データである統計値１３１Ａと、グラフであるヒストグラム１３１Ｂからなる。操作領域１２０には、メニューボタン１２１が表示されている。メニューボタン１２１は、メニュー画面に戻るためのボタンである。
【００７７】
運転が停止されて品種切り替えが行われた後、不図示の運転ボタンが押されると、制御部７４は、動作決定テーブルのフラグ番号２のトリガ条件が成立したと判別する。フラグ番号２には、決定ダイアログを表示することが定められている。そのため、制御部７４は、図６に示すように操作領域１２０に決定ダイアログ画面を表示させる。この決定ダイアログ画面では、「統計データを合算しますか？Ｙ／Ｎ」の問いかけが操作領域１２０に表示され、統計データの合算を行うか否かをオペレータに決定させるようになっている。
【００７８】
以上、秤量部２１で被検査物Ｗの荷重を計測する方式の重量検査装置を例に説明したが、本発明は、他の方式で検査する他の物品検査装置として、例えば、被検査物ＷにＸ線を照射してその透過量から被検査物Ｗの質量、欠陥、異物の有無等を検査するＸ線検査装置、磁界の変化や被検査物Ｗの残留磁気を検出して金属異物を検出する金属検出装置にも同様に適用できる。
【００７９】
以上説明したように、本実施形態に係る物品検査装置１は、所定のトリガ条件の成立時に統計データの合算に関する動作を実行する制御部７４と、トリガ条件とその成立時の統計データの合算に関する動作が定められた動作決定テーブルを記憶する記憶部７３と、を備えている。そして、動作決定テーブルには、新たに生成する統計データを既に生成された統計データに対して合算するか否かが、複数のトリガ条件ごとに定められており、動作決定テーブルが定める動作には、統計データを合算するか否かをオペレータに確認させるためのダイアログ画面を表示することが含まれる。
【００８０】
この構成により、品種の切り替え操作やロットの切り替え操作等により複数のトリガ条件の何れかが成立した場合、統計データの合算に関して動作決定テーブルで予め定められている動作が実行される。また、ダイアログ画面に対する操作により、オペレータは、統計データの合算に関して意思を反映できる。この結果、統計データの合算に関する運用上の誤操作を防止することができる。
【００８１】
また、本実施形態に係る物品検査装置１は、動作決定テーブルの設定操作を行う設定部１１を備えている。
【００８２】
この構成により、設定部１１からの設定操作により動作決定テーブルを設定することができる。
【００８３】
また、本実施形態に係る物品検査装置１において、動作決定テーブルには、統計データを合算する場合と、統計データを合算しない場合と、統計データを合算するか否かをオペレータに決定させる決定ダイアログ画面を表示する場合と、が複数のトリガ条件ごとに定められている。
【００８４】
この構成により、統計データを合算するか否かが決定されている場合と、統計データを合算するか否かを決定ダイアログ画面でオペレータに決定させる場合の両方が設けられていることで、統計データの合算に関する運用上の誤操作を防止しつつ、統計データの合算に関する動作を柔軟に運用できる。
【００８５】
また、本実施形態に係る物品検査装置１は、トリガ条件が、被検査物Ｗの品種切り替え操作を含んでいる。
【００８６】
この構成により、品種切り替え操作が行われた場合に動作決定テーブルに従って統計データの合算に関する動作が行われるため、品種切り替え時の統計データに関する誤操作を防止することができる。
【００８７】
また、本実施形態に係る物品検査装置１は、トリガ条件が、被検査物Ｗのロット切り替え操作を含んでいる。
【００８８】
この構成により、ロット切り替え操作が行われた場合に動作決定テーブルに従って統計データの合算に関する動作が行われるため、ロット切り替え時の統計データに関する誤操作を防止することができる。
【００８９】
また、本実施形態に係る物品検査装置１は、動作決定テーブルが定める動作には、統計データを合算しない場合に、既に生成された統計データを所定期間保存することが含まれる。
【００９０】
この構成により、統計データを合算しない場合は、既に生成された統計データが所定期間保存されるため、統計データの合算に関するオペレータの確認が仮に不適正であった場合であっても、統計データが直ちに消去されてしまうことを防止できる。
【産業上の利用可能性】
【００９１】
以上のように、本発明に係る物品検査装置は、統計データの合算に関する運用上の誤操作を防止することができるという効果を有し、肉、魚、加工食品、医薬品などの被検査物を検査する物品検査装置として有用である。
【符号の説明】
【００９２】
１ 物品検査装置
１０ 表示部
１１ 設定部
７３ 記憶部
７４ 制御部
Ｗ 被検査物
【図１】
0006694741.tif 000002
【図２】
0006694741.tif 000003
【図３】
0006694741.tif 000004
【図４】
0006694741.tif 000005
【図５】
0006694741.tif 000006
【図６】
0006694741.tif 000007